(57)【要約】【課題】画像形成装置等の表示部に検索キーワード入力画面がウェブページに重ねて表示されているときに、検索キーワード入力画面の表示位置を、ユーザが、従来よりも簡単な操作かつ短時間で変更可能にする。【解決手段】表示部と、ウェブページを表示させるウェブ表示制御部５２２３と、ウェブページ内を検索するページ内検索部５２２４と、ページ内検索の実行指示の入力を受け付ける検索指示受付部５２２５と、当該検索実行指示が受け付けられたときに検索キーワード入力画面を表示し、当該検索キーワード表示画面内に位置変更指示入力キーの画像を表示する入力画面表示制御部５２２６と、表示位置変更指示を受け付ける位置変更受付部５２２７とを備え、入力画面表示制御部５２２６は、表示位置変更指示が受け付けられたとき、検索キーワード入力画面の表示位置を予め定められた表示位置に変更する。【選択図】図３
2010067209.tif 000002
【特許請求の範囲】
【請求項１】
画像を表示する表示部と、
前記表示部にウェブページを表示させるウェブ表示制御部と、
前記ウェブ表示制御部によって前記表示部に表示されたウェブページ内を検索するページ内検索部と、
前記ページ内検索部によるページ内検索の実行指示の入力を受け付ける検索指示受付部と、
前記検索指示受付部によって検索実行指示を受け付けたときに、ユーザから検索キーワードの入力を受け付けるための検索キーワード入力画面を前記表示部に表示し、当該検索キーワード表示画面内に、前記検索キーワード入力画面の表示位置を変更する表示位置変更指示をタッチパネル機能によりユーザから受け付けるための位置変更指示入力キーの画像を前記表示部に表示する入力画面表示制御部と、
前記位置変更指示入力キーに基づいたユーザの操作により、前記表示位置変更指示をタッチパネル機能により受け付ける位置変更受付部とを備え、
前記入力画面表示制御部は、前記位置変更受付部によって前記表示位置変更指示が受け付けられたとき、前記表示部の表示画面内における前記検索キーワード入力画面の表示位置を予め定められた表示位置に変更する表示制御装置。
【請求項２】
前記入力画面表示制御部は、前記検索キーワード入力画面の前記予め定められた表示位置を、前記ウェブ表示制御部によるウェブページ表示領域における上部領域及び下部領域の２カ所とし、前記表示位置変更指示が前記位置変更受付部に受け付けられる度に、当該２カ所の間で相互に前記検索キーワード入力画面の表示位置を移動させ、
さらに、前記入力画面表示制御部は、前記検索キーワード入力画面を前記上部領域又は下部領域に表示しているとき、前記位置変更指示入力キーを、前記表示位置変更指示が受け付けられた場合に移動先となる領域の位置方向を示す画像を用いて表示する請求項１に記載の表示制御装置。
【請求項３】
前記入力画面表示制御部は、前記検索キーワード入力画面の前記上部領域及び下部領域における表示位置を互いに重ならない位置として、前記検索キーワード入力画面を前記ウェブページ表示領域に表示する請求項２に記載の表示制御装置。
【請求項４】
前記ウェブ表示制御部は、少なくとも１つ以上の検索エンジンを記憶しており、タッチパネル機能によりユーザから検索実行指示の入力を受け付けるための検索実行指示受付ボタンと、当該検索実行指示が前記検索指示受付部に受け付けられたときに、前記記憶している検索エンジンによるウェブページ検索及び前記ウェブブラウザ機能によるページ内検索を示す項目が並べられ、当該項目によって示される検索の中から所望の検索の選択を前記検索指示受付部がタッチパネル機能により受け付けるための選択キーとを、前記表示部に表示させ、
前記入力画面表示制御部は、前記検索指示受付部によって前記ページ内検索の選択が受け付けられたときに、当該ページ内検索用の検索キーワード入力画面を前記表示部に表示させ、前記検索指示受付部によって前記検索エンジンの選択が受け付けられたときは、当該検索エンジン用の検索キーワード入力画面を前記表示部に表示させる請求項１乃至請求項３のいずれかに記載の表示制御装置。
【請求項５】
印刷対象データに基づいて記録紙に画像を記録する記録部と、
請求項１乃至請求項４のいずれかに記載の表示制御装置とを備えた画像形成装置。
【請求項６】
表示制御装置に内蔵されるコンピュータを、
前記表示制御装置の表示部にウェブページを表示させるウェブ表示制御部と、
前記ウェブ表示制御部によって前記表示部に表示されたウェブページ内を検索するページ内検索部と、
前記ページ内検索部によるページ内検索の実行指示の入力を受け付ける検索指示受付部と、
前記検索指示受付部によって検索実行指示を受け付けたときに、ユーザから検索キーワードの入力を受け付けるための検索キーワード入力画面を前記表示部に表示し、当該検索キーワード表示画面内に、前記検索キーワード入力画面の表示位置を変更する表示位置変更指示をタッチパネル機能によりユーザから受け付けるための位置変更指示入力キーの画像を前記表示部に表示する入力画面表示制御部と、
前記位置変更指示入力キーに基づいたユーザの操作により、前記表示位置変更指示をタッチパネル機能により受け付ける位置変更受付部として機能し、
さらに、前記入力画面表示制御部が、前記位置変更受付部によって前記表示位置変更指示が受け付けられたとき、前記表示部の表示画面内における前記検索キーワード入力画面の表示位置を予め定められた表示位置に変更するように機能させる表示制御プログラム。
【発明の詳細な説明】
【技術分野】
【０００１】
本発明は、表示制御装置、画像形成装置、及び表示制御プログラムに関し、特に、表示部に表示されたウェブページ内をキーワード検索する際の技術に関する。
【背景技術】
【０００２】
従来から、コピー機や、複合機（コピー機能、プリンタ機能、ファクシミリ機能、スキャナ機能を兼ね備えた機器）等の画像形成装置には、ユーザ操作者に対して操作案内を表示するために、ＬＣＤ（Liquid Crystal Display）等からなる表示部が設けられている。そして、下記特許文献１に示されるように、画像形成装置をインターネット接続し、当該表示部に、上記操作案内に加えてインターネット上のウェブページを表示可能にしたものが提案されている。また、下記特許文献２に示されるように、特定コードを入力することなくユーザの望む連番文字列の一括検索置換を行う文字列検索装置も提案されている。
【特許文献１】特開２００３−１２２２７９号公報
【特許文献２】特開２０００−１３２５４８号公報
【発明の開示】
【発明が解決しようとする課題】
【０００３】
上記特許文献１に示される画像形成装置では、表示中のウェブページ内をキーワード検索（ページ内検索）するときには、検索キーワードの入力をユーザから受け付けるための検索キーワード入力画面が、表示中のウェブページ上に重ねて表示される。そして、その検索結果は、当該検索キーワード入力画面の下に表示されることがあるため、検索キーワード入力画面に隠れてユーザには見えない検索結果又はウェブページ部分をユーザに視認可能にするために、検索キーワード入力画面はその表示位置が変更自在とされている。しかし、当該従来技術の場合、この表示位置変更のための操作は、タッチパネル機能を利用したユーザの指又はマウスポインタを、従前の表示位置から所望の表示位置まで移動させるドラッグ操作であり、ユーザの指又はマウスポインタを移動させる時間が必要であるため、検索キーワード入力画面の表示位置変更には比較的長時間が要求される。また、上記特許文献２に示される文字列検索装置は、当該検索キーワード入力画面の表示位置変更に比較的長時間を要するという問題を解決するものではない。
【０００４】
本発明は、上記の問題を解決するためになされたもので、画像形成装置等の表示部に検索キーワード入力画面がウェブページに重ねて表示されているときに、検索キーワード入力画面の表示位置を、ユーザが、従来よりも簡単な操作かつ短時間で変更可能にすることを目的とする。
【課題を解決するための手段】
【０００５】
本発明の請求項１に記載の発明は、画像を表示する表示部と、
前記表示部にウェブページを表示させるウェブ表示制御部と、
前記ウェブ表示制御部によって前記表示部に表示されたウェブページ内を検索するページ内検索部と、
前記ページ内検索部によるページ内検索の実行指示の入力を受け付ける検索指示受付部と、
前記検索指示受付部によって検索実行指示を受け付けたときに、ユーザから検索キーワードの入力を受け付けるための検索キーワード入力画面を前記表示部に表示し、当該検索キーワード表示画面内に、前記検索キーワード入力画面の表示位置を変更する表示位置変更指示をタッチパネル機能によりユーザから受け付けるための位置変更指示入力キーの画像を前記表示部に表示する入力画面表示制御部と、
前記位置変更指示入力キーに基づいたユーザの操作により、前記表示位置変更指示をタッチパネル機能により受け付ける位置変更受付部とを備え、
前記入力画面表示制御部は、前記位置変更受付部によって前記表示位置変更指示が受け付けられたとき、前記表示部の表示画面内における前記検索キーワード入力画面の表示位置を予め定められた表示位置に変更する表示制御装置である。
【０００６】
また、請求項６に記載の発明は、表示制御装置に内蔵されるコンピュータを、
前記表示制御装置の表示部にウェブページを表示させるウェブ表示制御部と、
前記ウェブ表示制御部によって前記表示部に表示されたウェブページ内を検索するページ内検索部と、
前記ページ内検索部によるページ内検索の実行指示の入力を受け付ける検索指示受付部と、
前記検索指示受付部によって検索実行指示を受け付けたときに、ユーザから検索キーワードの入力を受け付けるための検索キーワード入力画面を前記表示部に表示し、当該検索キーワード表示画面内に、前記検索キーワード入力画面の表示位置を変更する表示位置変更指示をタッチパネル機能によりユーザから受け付けるための位置変更指示入力キーの画像を前記表示部に表示する入力画面表示制御部と、
前記位置変更指示入力キーに基づいたユーザの操作により、前記表示位置変更指示をタッチパネル機能により受け付ける位置変更受付部として機能し、
さらに、前記入力画面表示制御部が、前記位置変更受付部によって前記表示位置変更指示が受け付けられたとき、前記表示部の表示画面内における前記検索キーワード入力画面の表示位置を予め定められた表示位置に変更するように機能させる表示制御プログラムである。
【０００７】
これらの発明によれば、入力画面表示制御部は、検索キーワード入力画面を表示部に表しているとき、当該検索キーワード表示画面内に上記位置変更指示入力キーの画像を表示し、位置変更指示入力キーに基づいたユーザの操作により位置変更受付部によって表示位置変更指示が受け付けられると、表示部の表示画面内における検索キーワード入力画面の表示位置を予め定められた表示位置に変更するので、ユーザは、検索キーワード入力画面の表示位置変更先をドラッグ操作等により指定しなくても、例えば位置変更指示入力キーの表示部分を押下するだけで、検索キーワード入力画面の表示位置を、それまでの表示位置から別の表示位置に変更できる。従って、本発明によれば、画像形成装置等の表示部に検索キーワード入力画面がウェブページに重ねて表示されているときに、ユーザが、検索キーワード入力画面の表示位置を、従来よりも簡単な操作かつ短時間で変更することができる。
【０００８】
また、請求項２に記載の発明は、請求項１に記載の表示制御装置であって、前記入力画面表示制御部は、前記検索キーワード入力画面の前記予め定められた表示位置を、前記ウェブ表示制御部によるウェブページ表示領域における上部領域及び下部領域の２カ所とし、前記表示位置変更指示が前記位置変更受付部に受け付けられる度に、当該２カ所の間で相互に前記検索キーワード入力画面の表示位置を移動させ、
さらに、前記入力画面表示制御部は、前記検索キーワード入力画面を前記上部領域又は下部領域に表示しているとき、前記位置変更指示入力キーを、前記表示位置変更指示が受け付けられた場合に移動先となる領域の位置方向を示す画像を用いて表示するものである。
【０００９】
この発明によれば、入力画面表示制御部は、検索キーワード入力画面を上部領域又は下部領域に表示しているとき、位置変更指示入力キーを、前記表示位置変更指示が受け付けられた場合に移動先となる領域の位置方向を示す画像を用いて表示するので、ユーザは、位置変更指示入力キーが示す位置方向を視認することで、検索キーワード入力画面の移動先を瞬時に把握した上で、簡単な操作でもって、ウェブページ表示領域における上部領域及び下部領域の２カ所の間で相互に移動させることができる。
【００１０】
また、請求項３に記載の発明は、請求項２に記載の表示制御装置であって、前記入力画面表示制御部は、前記検索キーワード入力画面の前記上部領域及び下部領域における表示位置を互いに重ならない位置として、前記検索キーワード入力画面を前記ウェブページ表示領域に表示するものである。
【００１１】
この発明によれば、上部領域及び下部領域におけるそれぞれの検索キーワード入力画面の表示位置が重ならないので、検索キーワード入力画面の表示位置を変更すれば、検索キーワード入力画面の表示によりユーザに見えていないウェブページ部分は、検索キーワード入力画面が表示されない領域となる。このため、ユーザは、検索キーワード入力画面を、当該上部領域及び下部領域の間で相互に移動させれば、表示部に表示されているウェブページの全ての表示領域を視認することができる。
【００１２】
また、請求項４に記載の発明は、請求項１乃至請求項３のいずれかに記載の表示制御装置であって、前記ウェブ表示制御部は、少なくとも１つ以上の検索エンジンを記憶しており、タッチパネル機能によりユーザから検索実行指示の入力を受け付けるための検索実行指示受付ボタンと、当該検索実行指示が前記検索指示受付部に受け付けられたときに、前記記憶している検索エンジンによるウェブページ検索及び前記ウェブブラウザ機能によるページ内検索を示す項目が並べられ、当該項目によって示される検索の中から所望の検索の選択を前記検索指示受付部がタッチパネル機能により受け付けるための選択キーとを、前記表示部に表示させ、
前記入力画面表示制御部は、前記検索指示受付部によって前記ページ内検索の選択が受け付けられたときに、当該ページ内検索用の検索キーワード入力画面を前記表示部に表示させ、前記検索指示受付部によって前記検索エンジンの選択が受け付けられたときは、当該検索エンジン用の検索キーワード入力画面を前記表示部に表示させるものである。
【００１３】
この発明によれば、ウェブ表示制御部が表示部にウェブページを表示しているとき、ユーザによる検索実行指示受付ボタンに基づく操作に応じて、検索指示受付部に検索実行指示の入力が受け付けられると、ウェブ表示制御部は、検索エンジンによるウェブページ検索及びウェブブラウザ機能によるページ内検索を示す項目が並べられてなる選択キーを表示し、ユーザによる当該選択キーに基づく操作に応じて、当該項目によって示される検索の中から所望の検索の選択を検索指示受付部が受け付けるので、ユーザは、検索エンジンによるウェブページ検索又はページ内検索の別に応じて異なる操作を行わなくても、ウェブ表示制御部の上記表示による案内に従って操作を行えば、所望の検索を選択することができる。これにより、画像形成装置等の表示部にウェブページが表示されているときにおいて、表示中のウェブページ内のページ内検索と、検索エンジンによるウェブページ検索とを使い分けるためにユーザに要求される操作が簡単になる。
【００１４】
また、請求項５に記載の発明は、印刷対象データに基づいて記録紙に画像を記録する記録部と、
請求項１乃至請求項４のいずれかに記載の表示制御装置とを備えた画像形成装置である。
【００１５】
この発明によれば、請求項１乃至請求項４のいずれかに記載の発明が奏する作用を得ることができる。
【発明の効果】
【００１６】
本発明によれば、画像形成装置等の表示部に検索キーワード入力画面がウェブページに重ねて表示されているときに、ユーザは、検索キーワード入力画面の表示位置を、従来よりも簡単な操作かつ短時間で変更することができる。
【発明を実施するための最良の形態】
【００１７】
以下、本発明に係る表示制御装置を備える画像形成装置の実施形態を説明する。図１は、本発明に係る表示制御装置を備える画像形成装置の一実施形態である複合機の構成を示す側面概略図である。
【００１８】
複合機１は、本体部２００と、本体部２００の用紙搬出側、例えば左側に配設された用紙後処理部３００と、ユーザ操作者が種々の操作指令等を入力するための操作部４００と、本体部２００の上部に配設された原稿読み取り部５００と、原稿読み取り部５００の上部に配設された原稿給送部６００とから構成される。
【００１９】
操作部４００は、ＬＣＤ（Liquid Crystal Display）等からなる表示部（表示手段）４１０と、ユーザから操作指示が入力される操作キー部４３０を備える。操作キー部４３０は、スタートキー及びテンキー等を備える。
【００２０】
原稿給送部６００は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２１】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２２】
感光体ドラム２０４は、矢印方向に回転しながら帯電装置（図示省略）によって一様に帯電される。露光装置２０６は、原稿読み取り部５００において読み取られた原稿の画像データに応じて変調されたレーザ光を感光体ドラム２０４上に走査し、ドラム表面に静電潜像を形成する。現像装置２０７は、黒色の現像剤を感光体ドラム２０４に供給してトナー画像を形成する。
【００２３】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２４】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２５】
図２は、複合機１の制御ブロック図である。複合機１は、スキャナ部１１、画像処理部２１、記録部３１、操作部４００、制御ユニット５０、ネットワークＩ／Ｆ（インターフェース）部７１、及びＨＤＤ（ハードディスクドライブ）７４を備える。
【００２６】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２７】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、記録部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２８】
記録部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。記録部３１は、スキャナ部１１により読み取られた原稿データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００２９】
ネットワークＩ／Ｆ部７１は、ネットワークインタフェース等を用い、イーサネット（登録商標）等によりＬＡＮ（Local Area Network）を介して、外部装置との間での種々のデータの送受信を制御すると共に、インターネットへの接続を行う。ＨＤＤ７４は、スキャナ部１１によって読み取られた画像データ及び当該画像データに設定されている出力形式等を記憶する。
【００３０】
操作部４００は、図１に示す表示部４１０、操作キー部４３０を備える。表示部４１０は、タッチパネルとＬＣＤとを組み合わせたタッチパネルユニット等から構成される。表示部４１０は、種々の操作画面を表示すると共に、ユーザが表示面（表示されている操作キー）をタッチすることで種々の機能の実行指令を入力することが可能である。操作キー部４３０は、上述のようにスタートキー、テンキー等を有する。
【００３１】
制御ユニット５０は、制御部５２と、表示画像データ記憶部５３とを備える。
【００３２】
制御部５２は、メインコントローラユニット５２１と、表示制御ユニット５２２とを備える。メインコントローラユニット５２１は、複合機１の動作制御を司る。表示制御ユニット５２２は、ユーザに対する複合機１の操作案内情報及びウェブページ等を表示部４１０に表示させるための表示制御を行う。表示画像データ記憶部５３は、表示部４１０に表示させる各種の画像データを記憶している。表示画像データ記憶部５３に記憶されている当該各種画像データは、ユーザに対する複合機１の各操作案内情報の表示等を示す画像からなるものである。
【００３３】
図３は複合機１の制御ユニット５０の構成を抽出して示す図である。制御ユニット５０は、上述したように、メインコントローラユニット５２１と、表示制御ユニット５２２とを備える。当該メインコントローラユニット５２１は、例えばＣＰＵからなり、表示制御ユニット５２２は例えばＡＳＩＣ（Application Specific Integrated Circuit）からなり、これらを構成する各ボードは、例えばＵＳＢ（Universal Serial Bus）で接続される。
【００３４】
メインコントローラユニット５２１は、動作制御部５２１１と、プロキシサーバ５２１３とを備える。
【００３５】
動作制御部５２１１は、複合機１の各部（スキャナ部１１，画像処理部２１、記録部３１等）の動作制御を司る。
【００３６】
プロキシサーバ５２１３は、ウェブブラウザ５２２１とインターネット網の間に介在してインターネットとの接続を行なう。プロキシサーバ５２１３は、イーサネット（登録商標）等を介してインターネットに接続する。
【００３７】
表示制御ユニット５２２は、ウェブブラウザ５２２１と、パネルアプリケーション５２２２とを備える。
【００３８】
ウェブブラウザ５２２１は、表示部４１０にインターネット上のウェブページを表示させるために必要な処理等を実行する。
【００３９】
パネルアプリケーション５２２２は、複合機１の各操作案内等を表示部４１０に表示させるために必要な処理を実行する。パネルアプリケーション５２２２は、複合機１の各操作案内に対応する画像データを、上記表示画像データ記憶部５３から読み出して、表示部４１０に表示させる。
【００４０】
また、ウェブブラウザ５２２１は、ウェブ表示制御部５２２３と、ページ内検索部５２２４と、検索指示受付部５２２５と、入力画面表示制御部５２２６と、位置変更受付部５２２７とを備える。
【００４１】
ウェブ表示制御部５２２３は、表示部４１０にウェブページを表示させるために必要な処理を行う。
【００４２】
ページ内検索部５２２４は、ウェブ表示制御部５２２３によって表示部４１０に表示されたウェブページ内を検索するページ内検索処理を行う。  なお、「ページ内検索」とは、検索キーワードを用いて、ウェブブラウザ５２２１の機能により、表示部４１０に表示中のウェブページにおいて当該キーワードが使用されている箇所を検索することである。
【００４３】
検索指示受付部５２２５は、ページ内検索部５２２４によるページ内検索の実行指示の入力をユーザから例えばタッチパネル機能により受け付ける。
【００４４】
入力画面表示制御部５２２６は、検索指示受付部５２２５が検索実行指示を受け付けたときに、ユーザから検索キーワードの入力を受け付けるための検索キーワード入力画面を表示部４１０に表示する。さらに、入力画面表示制御部５２２６は、上記検索キーワード表示画面内に位置変更指示入力キーの画像を表示する。当該位置変更指示入力キーの画像は、検索キーワード入力画面の表示位置を変更する表示位置変更指示をタッチパネル機能によりユーザから受け付けるための画像である。
【００４５】
また、入力画面表示制御部５２２６は、位置変更受付部５２２７によって上記表示位置変更指示が受け付けられたとき、表示部４１０の表示画面内における検索キーワード入力画面の表示位置を予め定められた表示位置（詳細は後述）に変更する。
【００４６】
位置変更受付部５２２７は、上記位置変更指示入力キーに基づいたユーザの操作により、上記表示位置変更指示をタッチパネル機能によりユーザから受け付ける。
【００４７】
本発明の一実施形態に係る表示制御装置は、例えば、制御ユニット５０及び表示部４１０を備えてなる。
【００４８】
なお、上記には、制御部５２が、ＣＰＵからなるメインコントローラユニット５２１と、ＡＳＩＣからなる表示制御ユニット５２２とで構成されている例を示したが、これに限られず、例えば、ＨＤＤ７４に本発明の一実施形態に係る表示制御プログラムが記憶されており、ＣＰＵ等からなる制御部５２が、当該表示制御プログラムに従って動作することで、上記ウェブブラウザ５２２１として機能してもよいし、これに加えて更に、パネルアプリケーション５２２２、動作制御部５２１１及びプロキシサーバ５２１としても機能するものであってもよい。
【００４９】
次に、複合機１における表示部４１０の表示制御の第１実施形態を説明する。図４は複合機１における表示部４１０の表示制御の第１実施形態を示すフローチャートである。図５は初期操作画面の例を示す図である。図６はウェブページ表示画面の例を示す図である。図７及び図８は検索キーワード入力画面の例を示す図である。図９はキーボード画面の例を示す図である。
【００５０】
ユーザが、複合機１の使用開始時に当該複合機１の主電源をＯＮにすると（Ｓ１でＹＥＳ）、パネルアプリケーション５２２２は、表示画像データ記憶部５３から、初期操作画面に対応する画像データを読み出して、図５に示すような初期画面４１０１を表示部４１０に表示させる（Ｓ２）。このとき、操作部４００は、ユーザから各種動作実行指示（コピー動作実行指示やウェブページ表示指示等）が受付可能な状態となる（Ｓ３，Ｓ１２）。この初期画面４１０１は、図５に示すように、例えばコピー動作時の各種設定を受け付けるキー１０１乃至１０４等が表示されると共に、ウェブブラウザを起動させるウェブブラウザ起動指示（ウェブブラウザの起動により予め設定されているウェブページを表示部４１０に表示させる指示）をユーザから受け付けるブラウザキー１０５が表示される。当該初期画面４１０１及び以下に示す各画面に表示されるキーは、タッチパネル機能によりユーザからの指示の入力がウェブブラウザ５２２１や動作制御部５２１１２等に受け付けられる。
【００５１】
ここで、ユーザによる操作部４００の操作で、ウェブページ表示指示以外のいずれかの動作実行指示、例えば、コピー動作実行指示が入力され、当該指示が操作部４００に受け付けられた場合（Ｓ３でＮＯ，Ｓ１２でＹＥＳ）、動作制御部５２１１は、指示された動作、例えばコピー動作を実行する（Ｓ１３）。なお、操作部４００がユーザからいずれの動作実行指示も受け付けない場合は（Ｓ１２でＮＯ）、処理はＳ２に戻り、パネルアプリケーション５２２２が初期画面４１０１を表示部４１０に表示させ、操作部４００がユーザからの各種動作実行指示の入力を待機する状態が継続する。
【００５２】
一方、ユーザにより、初期画面４１０１において、ブラウザキー１０５が押下され、タッチパネル機能によりウェブ表示制御部５２２３にウェブページ表示指示が受け付けられた場合は（Ｓ３でＹＥＳ）、ウェブ表示制御部５２２３は、プロキシサーバ５２１３を介して、ウェブブラウザ表示時の第１ページとして予め設定されているウェブページのウェブサイトにアクセスし、当該ウェブサイトから、第１ページとなるウェブページの画像データを取得して、例えば図６に示すようなウェブページ表示画面４１０３を表示部４１０に表示する（Ｓ４）。すなわち、ウェブ表示制御部５２２３は、パネルアプリケーション５２２２によって表示部４１０に表示されている初期画面４１０１を、上記ウェブページ表示画面４１０３に切り換える。
【００５３】
このとき、ウェブ表示制御部５２２３は、ウェブページ表示画面４１０３に、検索実行指示受付ボタン（Search キー）Ｂ３を表示させる。この検索実行指示受付ボタンＢ３は、表示部４１０が備えるタッチパネル機能により、ユーザから、ページ内検索の検索実行指示の入力を受け付けるための画像からなるボタンである。
【００５４】
さらに、ウェブ表示制御部５２２３は、ウェブページ表示画面４１０３において、スクロールバーＢ１及び画面クローズボタンＢ２等を表示させる。スクロールバーＢ１及び画面クローズボタンＢ２等は、タッチパネル機能を利用してユーザがウェブページのスクロール指示、ウェブページを閉じる指示等を入力する操作を容易にするため、スクロールバーＢ１や画面クローズボタンＢ２、検索実行指示受付ボタンＢ３は、ユーザが指で触れやすい程度の大きさに設定されている。
【００５５】
上記のように、ウェブ表示制御部５２２３が、ウェブページ表示画面４１０３を表示部４１０に表示させているときに、ユーザにより検索実行指示受付ボタンＢ３が押下され、タッチパネル機能により検索指示受付部５２２５に、検索実行指示が受け付けられると（Ｓ５でＹＥＳ）、入力画面表示制御部５２２６は、ユーザから検索キーワードの入力を受け付けるための検索キーワード入力画面を、表示部４１０に表示されているウェブページ上に重ねて表示する（Ｓ６）。このとき、入力画面表示制御部５２２６は、検索キーワード表示画面内に位置変更指示入力キーの画像を表示する。当該位置変更指示入力キーの画像は、検索キーワード入力画面の表示位置を変更する表示位置変更指示をタッチパネル機能によりユーザから受け付けるための画像である。
【００５６】
例えば、入力画面表示制御部５２２６は、当該検索キーワード入力画面として、図７に示すような検索キーワード入力画面Ｇ１を表示させる。入力画面表示制御部５２２６は、上記検索キーワード入力画面Ｇ１に入力ボタンＢ６を表示する。このとき、ユーザが当該入力ボタンＢ６を押下すると、タッチパネル機能により、入力画面表示制御部５２２６がキーボート画面の表示指示の入力を受け付け、当該表示指示に基づいて図９及び図１０に示すようなキーボードを示す画像からなるキーボード画面Ｇ４を表示部４１０に表示させる。入力画面表示制御部５２２６が、表示部４１０に当該キーボード画面Ｇ４を表示させているときに、ユーザが当該キーボード画面に表示されている各文字キー表示部分を押下すると、タッチパネル機能により、押下された箇所の文字キーに対応付けられた文字又は記号の入力を、検索指示受付部５２２５が受け付けるようになっている。
【００５７】
なお、キーボード画面Ｇ４は、例えば、図９に示す大文字入力画面Ｇ４０と図１０に示す小文字入力画面Ｇ４０’とを有している。例えば、ウェブブラウザ５２２１は、キーボード画面Ｇ４の表示時に、初期画面として大文字入力画面Ｇ４０を最初に表示部４１０に表示する。この大文字入力画面Ｇ４０において「小文字」ボタンＧ４４がユーザにより押下され、タッチパネル機能によりウェブブラウザ５２２１に画面切替指示が受け付けられると、ウェブブラウザ５２２１は、表示部４１０の表示画面を小文字入力画面Ｇ４０’に切り替える。また、この小文字入力画面Ｇ４０’において「大文字」ボタンＧ４３がユーザにより押下され、タッチパネル機能によりウェブブラウザ５２２１に画面切替指示が受け付けられると、ウェブブラウザ５２２１は、表示部４１０の表示画面を大文字入力画面Ｇ４０に切り替える。
【００５８】
大文字入力画面Ｇ４０及び小文字入力画面Ｇ４０’では、ユーザにより入力文字ボタンＧ４１が押下され、タッチパネル機能によりウェブブラウザ５２２１に入力文字切替指示が受け付けられると、ウェブブラウザ５２２１は、入力文字ボタンＧ４１から下方に向けて、入力文字各種を示す項目が並んでなる入力文字メニューボタンＰ１をプルダウン表示する。また、ユーザにより文字入力方式切替ボタンＧ４２が押下され、タッチパネル機能によりウェブブラウザ５２２１に文字入力方式切替指示が受け付けられると、ウェブブラウザ５２２１は、文字入力方式切替ボタンＧ４２から下方に向けて、文字入力方式各種を示す項目が並んでなる入力方式メニューボタンＰ２をプルダウン表示する。
【００５９】
また、入力画面表示制御部５２２６による検索キーワード入力画面Ｇ１の表示時に、入力画面表示制御部５２２６が検索キーワード入力画面Ｇ１内に表示させている「閉じる」キーＢ７がユーザによって押下されると、タッチパネル機能により検索指示受付部５２２５が検索終了の指示を受け付けるようになっており、当該検索終了指示が検索指示受付部５２２５に受け付けられると（Ｓ７でＹＥＳ）、処理はＳ４に戻り、ウェブ表示制御部５２２３が再び上記ウェブページを表示させる。
【００６０】
上記検索キーワード入力画面Ｇ１の表示時に、上記検索終了指示が検索指示受付部５２２５に受け付けられることなく（Ｓ７でＮＯ）、上記検索キーワード入力画面Ｇ１及びキーボード画面Ｇ４でユーザにより検索キーワードが入力され、入力画面表示制御部５２２６が検索キーワード入力画面Ｇ１内に表示させている「上へ検索」キーＢ１０又は「下へ検索」キーＢ１１がユーザにより更に押下された場合は、検索指示受付部５２２５は、タッチパネル機能により、ページ内検索を開始させる指示を受け付ける（Ｓ８でＹＥＳ）。そして、ページ内検索部５２２４は、当該入力された検索キーワードを用いてページ内検索を開始（この時点で表示中のウェブページ内で当該キーワードが使用されている箇所を検索）し、当該検索結果を表示部４１０に表示させる処理を行う（Ｓ９）。このＳ９の後、処理はＳ６に戻る。すなわち、ウェブ表示制御部５２２３は、当該入力された検索キーワードを有するウェブページ部分が表示部４１０に表示されるように当該ウェブページをスクロールさせると共に、この検索結果を示す画面上に重ねて、検索キーワード入力画面Ｇ１を引き続き表示させる。
【００６１】
また、入力画面表示制御部５２２６は、Ｓ６の検索キーワード入力画面Ｇ１の表示時に、検索キーワード入力画面Ｇ１内に、位置変更指示入力キーＢ８の画像を表示している。そして、ユーザによって、当該位置変更指示入力キーＢ８が押下され、タッチパネル機能により、位置変更受付部５２２７に、検索キーワード入力画面Ｇ１の表示位置を変更する表示位置変更指示が受け付けられると（Ｓ７でＮＯ，Ｓ８でＮＯ，Ｓ１０でＹＥＳ）、入力画面表示制御部５２２６は、表示部４１０に表示画面内における検索キーワード入力画面Ｇ１の表示位置を予め定められた表示位置に変更する（Ｓ１１）。
【００６２】
例えば、入力画面表示制御部５２２６は、当該予め定められた検索キーワード入力画面Ｇ１の表示位置として、ウェブ表示制御部５２２３が表示部４１０の表示画面に表示するウェブページ表示領域における上部領域の特定位置Ａ１（図７）及び下部領域の特定位置Ａ２（図８）の２カ所を記憶しており、上記表示位置変更指示が位置変更受付部５２２７に受け付けられる度に、当該２カ所の間で相互に検索キーワード入力画面Ｇ１の表示位置を移動させる。
【００６３】
このとき、入力画面表示制御部５２２６は、図７に示すように、検索キーワード入力画面Ｇ１を上部領域の特定位置Ａ１に表示しているとき、上記表示位置変更指示が受け付けられた場合の移動先となる下部領域の特定位置Ａ２の方向を指す矢印画像を、位置変更指示入力キーＢ８として表示させる。また、図８に示すように、入力画面表示制御部５２２６は、検索キーワード入力画面Ｇ１を下部領域の特定位置Ａ２に表示しているとき、上記表示位置変更指示が受け付けられた場合の移動先となる上部領域の特定位置Ａ１の方向を指す矢印画像を、位置変更指示入力キーＢ８’として表示させる。これにより、ユーザは、位置変更指示入力キーＢ８又はＢ８’を押下すると、検索キーワード入力画面Ｇ１が、上部領域の特定位置Ａ１又は下部領域の特定位置Ａ２のいずれに移動するかを直感的に認識することができる。
【００６４】
そして、入力画面表示制御部５２２６は、検索キーワード入力画面Ｇ１を上部領域の特定位置Ａ１に表示しているときに、ユーザにより位置変更指示入力キーＢ８が押下されて位置変更指示が位置変更受付部５２２７に受け付けられると、検索キーワード入力画面Ｇ１の表示位置を下部領域の特定位置Ａ２に変更する。一方、入力画面表示制御部５２２６は、検索キーワード入力画面Ｇ１を下部領域の特定位置Ａ２に表示しているときに、ユーザにより位置変更指示入力キーＢ８’が押下されて位置変更指示が位置変更受付部５２２７に受け付けられると、検索キーワード入力画面Ｇ１の表示位置を上部領域の特定位置Ａ１に変更する。
【００６５】
当該検索キーワード入力画面Ｇ１の表示位置変更処理の後は、処理はＳ６に戻り、Ｓ６以降の処理が繰り返される。
【００６６】
なお、入力画面表示制御部５２２６は、検索キーワード入力画面Ｇ１を上部領域の特定位置Ａ１及び下部領域における特定位置Ａ２に表示するとき、図７及び図８に示すように、特定位置Ａ１及び特定位置Ａ２における検索キーワード入力画面Ｇ１の各表示領域が重ならないようにして、検索キーワード入力画面Ｇ１を上記ウェブページ表示領域内に表示することが好ましい。この場合、検索キーワード入力画面Ｇ１の表示中に、検索キーワード入力画面Ｇ１の下となってユーザには見えていないウェブページ部分は、ユーザが、検索キーワード入力画面Ｇ１の表示位置を、上部領域の特定位置Ａ１又は下部領域における特定位置Ａ２に変更することで表示部４１０に表示され、すなわち、検索キーワード入力画面Ｇ１の表示位置の変更により、当該表示部４１０に表示されているウェブページの全ての表示領域をユーザにより視認可能な状態にできる。
【００６７】
次に、複合機１における表示部４１０の表示制御の第２実施形態を説明する。図１１は複合機１における表示部４１０の表示制御の第２実施形態を示すフローチャートである。図１２は選択キーが表示されたウェブページ表示画面の例を示す図である。図１３はウェブページ検索時の検索キーワード入力画面の例を示す図である。なお、第１実施形態と同様の処理は説明を省略する。
【００６８】
本第２実施形態では、ウェブブラウザ５２２１の各部は、第１実施形態の場合に加え又は変更して、以下のように機能する。
【００６９】
ウェブ表示制御部５２２３は、少なくとも１つ以上の検索エンジン及びその検索エンジンのウェブページURLを記憶している検索エンジン記憶部を内蔵している。また、ウェブ表示制御部５２２３は、ユーザから検索実行指示の入力を受け付けるための検索実行指示受付ボタンや、所望の検索方式の選択をユーザから受け付けるための選択キー等を表示する。当該検索実行指示受付ボタンは、タッチパネル機能によりユーザから検索実行指示の入力を受け付けるためのものである。当該選択キーは、検索エンジン記憶部に記憶されている検索エンジンによるウェブページ検索及びウェブブラウザ５２２１が具備する機能で実行されるページ内検索を示す項目が並べられてなり、当該項目によって示される検索の中から所望の検索方式の選択をタッチパネル機能によりユーザから受け付けるためのものである。なお、当該第２実施形態では、「検索」とは、(1)検索キーワードを用いて、検索エンジンにより、当該キーワードを含むウェブページを検索すること（ウェブページ検索）、(2) 検索キーワードを用いて、ウェブブラウザ５２２１の機能により、表示部４１０に表示中のウェブページにおいて当該キーワードが使用されている箇所を検索すること（ページ内検索）、の両者である。
【００７０】
また、検索指示受付部５２２５は、ユーザによる上記検索実行指示受付ボタンに基づく操作に応じて、検索エンジンによるウェブページ検索及びウェブブラウザ５２２１の機能によるページ内検索の両方の検索実行指示の入力を受け付ける。この場合、ウェブ表示制御部５２２３は、当該検索実行指示を受け付けたときに、検索エンジン及びページ内検索を示す項目が並べられてなる上記選択キーを表示部４１０に表示する。検索指示受付部５２２５は、また、ユーザによる上記選択キーに基づく操作に応じて、当該選択キーの各項目で示される検索方式の中から、所望の検索方式の選択を受け付ける。
【００７１】
さらに、ウェブ表示制御部５２２３は、上記検索エンジン又はページ内検索の選択が検索指示受付部５２２５によってユーザから受け付けられたとき、ユーザから検索キーワードの入力を例えばタッチパネル機能により受け付けるための検索キーワード入力画面を表示部４１０に表示する。
【００７２】
そして、ウェブ表示制御部５２２３は、検索キーワード入力画面の表示中に、ユーザから検索キーワードの入力が検索指示受付部５２２５によって受け付けられた場合、この時点で、検索エンジンによるウェブブラウザ検索を選択する指示をユーザから受け付けているときは、検索エンジン記憶部内の上述した記憶情報に基づいて、当該選択された検索エンジンのURL（Uniform Resource Locator）を特定して、当該検索エンジンをなすウェブページにアクセスして、上記入力された検索キーワードによる当該ウェブページでの検索結果を表示部４１０に表示する。なお、ページ内検索部５２２４は、上記検索キーワード入力画面の表示中に検索キーワードの入力を受け付けた場合において、この時点で、上記ページ内検索が検索指示受付部５２２５によって受け付けられているときは、当該ページ内検索機能を起動する。
【００７３】
続いて、本第２実施形態での処理を図１１のフローチャートを用いて説明する。
【００７４】
当該第２実施形態では、ウェブ表示制御部５２２３がウェブページ表示画面４１０３を表示部４１０に表示させているときに（Ｓ２４）、ユーザにより検索実行指示受付ボタンＢ３が押下され、タッチパネル機能により、検索指示受付部５２２５に検索実行指示が受け付けられると（Ｓ２５でＹＥＳ）、ウェブ表示制御部５２２３は、検索エンジン記憶部に記憶されている各検索エンジンによるウェブページ検索、及びウェブブラウザ５２２１の機能によるページ内検索を示す項目が並べられてなる選択キーＢ５の画像を、表示中のウェブページ上に表示させる（Ｓ２６）。
【００７５】
ウェブ表示制御部５２２３は、例えば、図１２に示すように、検索実行指示受付ボタンＢ３から上方に向けた位置に表示されるプルアップメニューで選択キーＢ５を表示する。この選択キーＢ５は、当該項目によって示される検索の中から所望の検索が表示されている項目部分をユーザが押下することで、タッチパネル機能により、当該押下された部分に表示されている検索方式の選択指示が、検索指示受付部５２２５に受け付けられるようになっている。上記検索エンジン記憶部に、複数の検索エンジン及びそのウェブページURLが記憶されている場合は、ウェブ表示制御部５２２３は、図１２に示すように、記憶されている複数の検索エンジンを示す項目を並列表示し、検索指示受付部５２２５は、ユーザから、当該複数の項目により表示されている検索エンジン（図１２では、例としてGoogle（登録商標）日本語、Google英語、Yahoo（登録商標）日本語、Yahoo英語、を示す）の中から、ユーザにより押下された部分に表示されている検索エンジンの選択指示を受け付ける。
【００７６】
ここで、ユーザにより検索方式を選択する指示が、タッチパネル機能により、検索指示受付部５２２５に受け付けられると、検索指示受付部５２２５は、いずれの検索方式が選択されたかを判断し、ユーザにより選択された検索方式が、検索エンジンによるウェブページ検索であると判断した場合は（Ｓ２７で「検索エンジン」）、ウェブ表示制御部５２２３は、図１３に示すようなウェブページ検索用の検索キーワード入力画面Ｇ３（ここでは、検索エンジンとしてGoogle（日）が選択された場合を示している）を表示部４１０に表示させる（Ｓ３４）。この検索キーワード入力画面Ｇ３において、上述の第１実施形態におけるキーボード画面Ｇ４のユーザ操作と同様にして、ユーザにより検索キーワードが入力されると（Ｓ３５でＹＥＳ）、ウェブ表示制御部５２２３は、選択されている検索エンジンのウェブページにアクセスし、上記入力を受け付けた検索キーワードを用いて、当該検索エンジンによりウェブページ検索を行った結果を示すウェブページ表示データを取得して、表示部４１０に表示する（Ｓ３６）。ウェブ表示制御部５２２３は、当該選択されている検索エンジンのウェブブラウザURLを検索エンジン記憶部の記憶情報に基づいて特定して、当該アクセスを行う。例えば、選択キーＢ５の中から、検索エンジンGoogle（日）を示すボタンＢ５１がユーザにより押下された場合、ウェブブラウザ５２２１は、検索エンジン記憶部から検索エンジンGoogle（日）のウェブページURLを読み出して、当該検索エンジンGoogle（日）のウェブページにアクセスし、当該検索エンジンGoogle（日）のウェブページから、上記入力された検索キーワードでの検索結果を示すデータを取得して、表示部４１０に表示する。
【００７７】
一方、Ｓ２７において検索指示受付部５２２５により受け付けられた検索方式選択指示がページ内検索である場合は（Ｓ２７で「ページ内検索」）、第１実施形態におけるＳ６乃至Ｓ１１と同様の処理からなるＳ２８乃至Ｓ３３の処理が実行される。
【００７８】
なお、Ｓ２７において検索指示受付部５２２５によりいずれの検索方式選択指示も受け付けられない場合は、Ｓ２６の選択キーＢ５の画像を表示する処理を引き続き行う。
【００７９】
なお、本発明は上記実施の形態の構成に限られず種々の変形が可能である。例えば、上記第１又は第２実施形態では、ウェブブラウザ５２２１が、表示部４１０へのウェブページ表示処理、表示させたウェブページ内を検索する処理、検索エンジン記憶部の具備、検索実行指示受付ボタンＢ３の表示処理、選択キーＢ５の表示処理、選択された検索エンジンのウェブページへのアクセス及び検索結果の表示処理等を行うとして説明しているが、これらの処理を行うのは、所謂ウェブブラウザと呼ばれるアプリケーションに限られず、上記各処理を実行可能なアプリケーション又は回路であればよい。すなわち、本実施形態においては、ウェブブラウザ５２２１は、上記各処理を実行可能なアプリケーション又は回路を包含する概念である。
【００８０】
また、上記実施形態では、本発明に係る表示制御装置、画像形成装置、及び表示制御プログラムの実施形態を、図１乃至図１３に示しているが、これらは本発明の一例に過ぎず、本発明の構成又は処理等をこれらに限定する趣旨ではない。
【図面の簡単な説明】
【００８１】
【図１】本発明に係る表示制御装置を備える画像形成装置の一実施形態である複合機の構成を示す側面概略図である。
【図２】複合機の制御ブロック図である。
【図３】複合機の制御ユニットの構成を抽出して示す図である。
【図４】複合機における表示部の表示制御の第１実施形態を示すフローチャートである。
【図５】初期操作画面の例を示す図である。
【図６】ウェブページ表示画面の例を示す図である。
【図７】検索キーワード入力画面の例を示す図である。
【図８】検索キーワード入力画面の例を示す図である。
【図９】キーボード画面の例を示す図である。
【図１０】キーボード画面の例を示す図である。
【図１１】複合機における表示部の表示制御の第２実施形態を示すフローチャートである。
【図１２】選択キーが表示されたウェブページ表示画面の例を示す図である。
【図１３】ウェブブラウザの機能によるページ内検索時の検索キーワード入力画面の例を示す図である。
【符号の説明】
【００８２】
１          複合機
３１        記録部
４１０      表示部
４１０１    初期画面
４１０３    ウェブページ表示画面
５０        制御ユニット
５２        制御部
５２２      表示制御ユニット
５２２１    ウェブブラウザ
５２２２    パネルアプリケーション
５２２３    ウェブ表示制御部
５２２４    ページ内検索部
５２２５    検索指示受付部
５２２６    入力画面表示制御部
５２２７    位置変更受付部
Ａ１，Ａ２  特定位置
Ｂ１０      位置変更指示入力キー
Ｂ１１      位置変更指示入力キー
Ｂ３        検索実行指示受付ボタン
Ｂ５        選択キー
Ｂ５１      ボタン
Ｇ１        検索キーワード入力画面
Ｇ３        検索キーワード入力画面
【図１】
2010067209.tif 000003
【図２】
2010067209.tif 000004
【図３】
2010067209.tif 000005
【図４】
2010067209.tif 000006
【図５】
2010067209.tif 000007
【図６】
2010067209.tif 000008
【図７】
2010067209.tif 000009
【図８】
2010067209.tif 000010
【図９】
2010067209.tif 000011
【図１０】
2010067209.tif 000012
【図１１】
2010067209.tif 000013
【図１２】
2010067209.tif 000014
【図１３】
2010067209.tif 000015